(57)【要約】【課題】  ユーザの意思を明確に反映した個人情報管理を行い、かつ、ユーザの意思、ニーズに合致したコンテンツを検索可能とする。【解決手段】  コンテンツ分類出力部１２０が、ユーザプロファイル等、暗黙的な観点に依存する関係の強さをパラメータとして持つ、ユーザ毎にカスタマイズされたユーザオントロジ辞書１２の中から、観点情報入力取込み部１１０により取り込まれる、その時々におけるのユーザの意思、ニーズ、あるいは時間や地理的条件等の観点情報に該当する可能性のあるディレクトリを抽出し、当該ディレクトリを選択出力する。【選択図】      図３
2005149340.tif 000002
【特許請求の範囲】
【請求項１】
コンテンツを個人情報に基づき分類して表示する、コンビュータ上に構築されたコンテンツ分類処理装置であって、
前記コンテンツを分類するユーザによる明示的な観点に従う選択入力、およびユーザのプロファイル情報を含む暗黙的な観点からの情報入力を取り込む観点情報入力取込み部と、
記憶装置に格納され、概念の集合および概念間の相互関係が定義された概念辞書を参照することにより作成される、前記暗黙的な観点に依存する関係の強さをパラメータとして持つユーザ毎にカスタマイズされたユーザオントロジ辞書の中から、前記取り込まれた観点情報に該当する可能性のあるディレクトリを抽出し、当該ディレクトリを選択出力するコンテンツ分類出力部と、
を備えたことを特徴とするコンテンツ分類処理装置。
【請求項２】
前記コンテンツ分類出力部は、
前記取り込まれた入力情報に基づき、前記ユーザオントロジ辞書の中から該当する可能性のあるディレクトリの一覧を抽出するディレクトリリスト抽出部と、
前記抽出されたディレクトリの一覧に、前記取り込まれた観点情報のうち、リアルタイム性の高い情報を反映させて最終的なリンクの強度を演算するリンク強度演算部と、
前記リンク強度演算部により演算されたリンク強度とあらかじめ定義されたリンク強度閾値との比較により表示すべきディレクトリリスト、ならびにその表示方法を決定する表示ディレクトリ決定処理部と、
を備えたことを特徴とする請求項１に記載のコンテンツ分類処理装置。
【請求項３】
前記コンテンツ分類出力部は、
前記表示すべきディレクトリリストを、それぞれが持つリンク強度に従う表示属性により表示する表示属性制御部、
を更に備えたことを特徴とする請求項２に記載のコンテンツ分類処理装置。
【請求項４】
前記コンテンツ分類出力部は、
コンテンツ登録もしくはコンテンツ閲覧時、前記入力されて取り込まれた観点情報毎にクエリーを生成するクエリー生成部と、
静的な入力に対するクエリーを前記コンテンツ登録時に実行し、動的な入力に対するクエリーを前記閲覧時に実行し、前記コンテンツに対応してそれぞれ設けられる機械的処理が可能なメタデータへのリンクインスタンスを振り分ける表示コンテンツ選択部と、
を備えたことを特徴とする請求項１〜３のいずれか１項に記載のコンテンツ分類処理装置。
【請求項５】
コンテンツを個人情報に基づき分類して表示する、コンビュータ上に構築されたコンテンツ分類処理装置におけるディレクトリのリスティング方法であって、
前記コンテンツを分類するユーザによる明示的な観点に従う選択入力、およびユーザのプロファイル情報を含む暗黙的な観点からの情報入力を取り込むステップと、
記憶装置に格納され、概念の集合および概念間の相互関係が定義された概念辞書を参照することにより作成される、前記暗黙的な観点に依存する関係の強さをパラメータとして持つユーザ毎にカスタマイズされたユーザオントロジ辞書の中から、前記取り込まれた観点情報に該当する可能性のあるディレクトリを抽出し、当該ディレクトリを選択出力するステップと、
を含むことを特徴とするコンテンツ分類処理装置におけるディレクトリのリスティング方法。
【請求項６】
コンテンツを個人情報に基づき分類して表示する、コンビュータ上に構築されたコンテンツ分類処理装置に用いられる処理プログラムであって、
前記コンテンツを分類するユーザによる明示的な観点に従う選択入力、およびユーザのプロファイル情報を含む暗黙的な観点からの情報入力を取り込む処理と、
記憶装置に格納され、概念の集合および概念間の相互関係が定義された概念辞書を参照することにより作成される、前記暗黙的な観点に依存する関係の強さをパラメータとして持つユーザ毎にカスタマイズされたユーザオントロジ辞書の中から、前記取り込まれた観点情報に該当する可能性のあるディレクトリを抽出し、当該ディレクトリを選択出力する処理と、
を前記コンピュータに実行させる処理プログラム。
【請求項７】
コンテンツ登録もしくはコンテンツ閲覧時、前記入力されて取り込まれた観点情報毎にクエリーを生成する処理と、
静的な入力に対するクエリーを前記コンテンツ登録時に実行し、動的な入力に対するクエリーを前記閲覧時に実行し、前記コンテンツに対応してそれぞれ設けられる機械的処理が可能なメタデータへのリンクインスタンスを振り分ける処理と、
を更に含み、前記コンピュータに実行させる請求項６に記載の処理プログラム。
【発明の詳細な説明】
【技術分野】
【０００１】
本発明は、コンテンツ分類処理装置、および同装置におけるディレクトリのリスティング方法ならびにその処理プログラムに関する。
【背景技術】
【０００２】
最近、インターネットをはじめとするコンピュータネットワークを用いてコンテンツを公開し、また、閲覧することが頻繁に行われるようになった。図１３に、コンテンツ閲覧の際、ユーザによって実行される絞込み操作に基づくＷｅｂ（World Wide Web）ページの階層展開の例が示されている。
すなわち、ユーザがトップ選択ページに予め埋め込まれたリンク（例えば、アンカータグによって挟まれた文字列）をクリックすることにより、関連付けられたサブ選択ページが表示され、サブ選択ページに埋め込まれたリンクを更にクリックすることで所望のコンテンツに辿り着く（例えば、非特許文献１参照）。
【非特許文献１】ＲＦＣ（Request For Comment）２０６８"Hypertext Transfer Protocol HTTP/1/1"［２００３年１０月３日検索］、［online］インターネット＜URL:http://www.mars.dti.ne.jp/"torao/rfc/ffc2068-ja.html＞
【発明の開示】
【発明が解決しようとする課題】
【０００３】
ところで、文書等のコンテンツを分類して管理する場合、その分類に用いる観点は、個人、あるいはニーズによってまちまちである。にもかかわらず、前記したようにページの関連付けを行うリンクはあらかじめ静的に決定されており、全ての人に、また、全ての状況に共通である。
従って、ユーザの意思が反映されない、あるいはニーズに合致しない検索結果が得られ、ユーザは、意味のない無駄なコンテンツのみ閲覧することになる。
【０００４】
本発明は、前記した事情に鑑みてなされたものであり、個人毎、ニーズ毎に異なるコンテンツの分類を実現し、ユーザが個人情報を利用したサービスを希望したときにシームレスに個人情報を追加し、あるいは動的に管理ポリシーの変更を行うことで、ユーザの意思を明確に反映した個人情報管理を行うことができ、かつ、ニーズに合致したコンテンツを検索可能な、コンテンツ分類処理装置、および同装置におけるディレクトリのリスティング方法ならびにその処理プログラムを提供することを目的とする。
【課題を解決するための手段】
【０００５】
（コンテンツ分類処理装置）
前記した課題を解決するために本発明（請求項１）は、コンテンツを個人情報に基づき分類して表示する、コンピュータ上に構築されたコンテンツ分類処理装置であって、前記コンテンツを分類するユーザによる明示的な観点に従う選択入力、およびユーザのプロファイル情報を含む暗黙的な観点からの情報入力を取り込む観点情報入力取込み部と、記憶装置に格納され、概念の集合および概念間の相互関係が定義された概念辞書を参照することにより作成される、前記暗黙的な観点に依存する関係の強さをパラメータとして持つユーザ毎にカスタマイズされたユーザオントロジ辞書の中から、前記取り込まれた観点情報に該当する可能性のあるディレクトリを抽出し、当該ディレクトリを選択出力するコンテンツ分類出力部と、を備えたことを特徴とする。
このコンテンツ分類処理装置は、各種演算を行うＣＰＵ（Central Processing Unit）のような演算処理手段と演算処理における作業領域となるＲＡＭ（Random Access Memory）のようなメモリとを少なくとも備え、この演算処理手段がメモリを適宜作業領域として、観点情報入力取込み部やコンテンツ分類出力部で必要となる演算処理を行う。以下の各発明における各処理も同様であり、各部（各ステップ）で必要となる各演算処理は、演算処理手段がメモリを適宜作業領域として行う。
【０００６】
また、本発明（請求項２）において、前記コンテンツ分類出力部は、前記取り込まれた入力情報に基づき、前記ユーザオントロジ辞書の中から該当する可能性のあるディレクトリの一覧を抽出するディレクトリリスト抽出部と、前記抽出されたディレクトリの一覧に、前記取り込まれた観点情報のうち、リアルタイム性の高い情報を反映させて最終的なリンクの強度を演算するリンク強度演算部と、前記リンク強度演算部により演算されたリンク強度と、あらかじめ定義されたリンク強度閾値との比較により表示すべきディレクトリリスト、ならびにその表示方法を決定する表示ディレクトリ決定処理部と、を備えたことを特徴とする。
【０００７】
また、本発明（請求項３）において、前記コンテンツ分類出力部は、前記表示すべきディレクトリリストを、それぞれが持つリンク強度に従う表示属性により表示する表示属性制御部、を更に備えたことを特徴とする。
【０００８】
また、本発明（請求項４）において、前記コンテンツ分類出力部は、コンテンツ登録もしくはコンテンツ閲覧時、前記入力されて取り込まれた観点情報毎にクエリーを生成するクエリー生成部と、静的な入力に対するクエリーを前記コンテンツ登録時に実行し、動的な入力に対するクエリーを前記閲覧時に実行し、前記コンテンツに対応してそれぞれ設けられる機械的処理が可能なメタデータへのリンクインスタンスを振り分ける表示コンテンツ選択部と、を備えたことを特徴とする。
【０００９】
（コンテンツ分類処理装置におけるディレクトリのリスティング方法）
前記した課題を解決するために本発明（請求項５）は、コンテンツを個人情報に基づき分類して表示する、コンピュータ上に構築されたコンテンツ分類処理装置におけるディレクトリのリスティング方法であって、前記コンテンツを分類するユーザによる明示的な観点に従う選択入力、およびユーザのプロファイル情報を含む暗黙的な観点からの情報入力を取り込むステップと、記憶装置に格納され、概念の集合および概念間の相互関係が定義された概念辞書を参照することにより作成される、前記暗黙的な観点に依存する関係の強さをパラメータとして持つユーザ毎にカスタマイズされたユーザオントロジ辞書の中から、前記取り込まれた観点情報に該当する可能性のあるディレクトリを抽出し、当該ディレクトリを選択出力するステップと、を含むことを特徴とする。
【００１０】
（処理プログラム）
前記した課題を解決するために本発明（請求項６）は、コンテンツを個人情報に基づき分類して表示する、コンピュータ上に構築されたコンテンツ分類処理装置に用いられる処理プログラムであって、前記コンテンツを分類するユーザによる明示的な観点に従う選択入力、およびユーザのプロファイル情報を含む暗黙的な観点からの情報入力を取り込む処理と、記憶装置に格納され、概念の集合および概念間の相互関係が定義された概念辞書を参照することにより作成される、前記暗黙的な観点に依存する関係の強さをパラメータとして持つユーザ毎にカスタマイズされたユーザオントロジ辞書の中から、前記取り込まれた観点情報に該当する可能性のあるディレクトリを抽出し、当該ディレクトリを選択出力する処理と、を前記コンピュータに実行させることを特徴とする。
【００１１】
また、本発明（請求項７）において、コンテンツ登録もしくはコンテンツ閲覧時、前記入力されて取り込まれた観点情報毎にクエリーを生成する処理と、静的な入力に対するクエリーを前記コンテンツ登録時に実行し、動的な入力に対するクエリーを前記閲覧時に実行し、前記コンテンツに対応してそれぞれ設けられる機械的処理が可能なメタデータへのリンクインスタンスを振り分ける処理と、を更に含み、前記コンピュータに実行させることを特徴とする。
【発明の効果】
【００１２】
本発明によれば、コンテンツ分類出力部が、ユーザプロファイル等、暗黙的な観点に依存する関係の強さをパラメータとして持つ、ユーザ毎にカスタマイズされたユーザオントロジ辞書の中から、観点情報入力取込み部により取り込まれる、その時々におけるのユーザの意思、ニーズ、あるいは時間や地理的条件等の観点情報に該当する可能性のあるディレクトリを抽出し、当該ディレクトリを選択出力することで、ディレクトリが明示的、暗黙的な観点に従って決定され、また、その分類が個人毎、状況毎に適応されるため、ユーザの意思が明確に反映され、ニーズに合致したコンテンツの検索が可能となる。
【００１３】
また、本発明によれば、表示コンテンツ選択部が、クエリー生成部により生成される静的な入力に対するクエリーをコンテンツ登録時に実行し、また、動的な入力に対するクエリーを閲覧時に実行してメタデータへのリンクインスタンスを振り分けることで、動的に管理ポリシーの変更を行うことができ、このことにより、ユーザの意思が明確に反映され、かつ、ニーズに合致したコンテンツの検索が可能となる。また、リンクの強弱に従い、表示順、大きさ、色等による表示属性を変更することで視覚的にも関係の強さを認識でき、コンテンツ選択の際における操作性の向上がはかれる。
更に、観点情報を再入力することで新たな観点から所望のコンテンツを取得することができ、柔軟性の高い検索が可能になり、そのための操作性が向上する。
【発明を実施するための最良の形態】
【００１４】
図１は、本実施形態のコンテンツ分類処理装置におけるディレクトリのリスティング方法を説明するために引用した図である。
図１を参照しながら本実施形態の基本動作を説明すれば以下のようになる。すなわち、まず、本実施形態のコンテンツ分類処理装置により観点選択ページが表示され、ユーザがその観点とする項目を選択入力する。ここでは、観点情報として、作成時間別、ジャンル別、作成者別の各項目が表示され、ここで、ユーザの意思としてその中から明示的に選択入力される他に、ユーザの暗黙的（黙示的）な観点である、年齢、性別等のユーザプロファイル、あるいは履歴、ステータス、場所、時間等に関するリアルタイム性の高い情報が入力され、取り込まれる。
そして、概念の集合および概念間の相互関係が定義された概念辞書を参照することにより、暗黙的な観点に依存する関係の強さをパラメータとして持つ、ユーザ毎にカスタマイズされたユーザオントロジ辞書（ユーザ毎にカスタマイズされた概念辞書）が作成され、この中から先に取り込まれた観点情報に該当する可能性のあるディレクトリを抽出する。このことにより、個人毎、あるいは状況に適応したディレクトリのリンクを辿り、所望のコンテンツに到達することができる。
【００１５】
図２に、本実施形態のコンテンツ分類処理装置が実現される通信ネットワークのシステム構成の一例が示されている。
図２において、符号１はコンテンツ提供サーバであり、本実施形態のコンテンツ分類処理装置として動作する。コンテンツ提供サーバ１は、コンテンツ分類処理装置として動作させるために用意された処理プログラム１１を核に、ユーザオントロジ辞書１２、ユーザプロファイルＤＢ１３、メタデータＤＢ１４、コンテンツＤＢ１５のそれぞれのデータベースを備えている。
ここで、データベースとして用意されるユーザオントロジ辞書１２は、ユーザの個人情報が反映された概念の集合および概念間の相互関係が定義された辞書データであり、ユーザプロファイルＤＢ１３は、ユーザの年齢、性別、嗜好等のユーザの個人情報、メタデータＤＢ１４は、コンテンツＤＢ１５のそれぞれに対応する説明情報である。具体的に、コンテンツＤＢ１５（その登録データ）が書籍データであった場合、メタデータＤＢ１４（その登録データ）は、作者、発行日、発行所等の書誌データになる。
【００１６】
処理プログラム１１は、コンテンツを分類するユーザによる明示的な観点に従う選択入力、およびユーザのプロファイル情報を含む暗黙的な観点からの情報入力を取り込み、概念辞書を個人用にカスタマイズして作成されるユーザオントロジ辞書１２の中から、前記のようにして取り込まれた観点情報に該当する可能性のあるディレクトリを抽出し、当該ディレクトリを選択出力する機能を持つ。
また、コンテンツ登録もしくはコンテンツ閲覧時、先に入力されて取り込まれた観点情報毎にクエリー（検索式、照会文）を生成し、静的な入力に対するクエリーをコンテンツ登録時に実行し、また、動的な入力に対するクエリーを閲覧時に実行して、メタデータ１４へのリンクインスタンスを振り分ける機能を持つ。いずれも詳細は後述する。
【００１７】
ここで、前記した「ユーザによる明示的な観点に従う選択入力」は、例えば、サービス利用時にユーザが、「スポーツに関する情報が欲しい」、「新しい情報が欲しい」、「提供者毎に情報を分類して欲しい」等の要求をマウスでのクリック等により指定することが相当する。また、前記した「プロファイル情報を含む暗黙的な観点からの情報入力」は、「お年寄り」→「時代劇が好き」／「子供」→「アニメが好き」／「○○市在住」→「○○市の情報が欲しい」等、ユーザがマウスでのクリック等により明示的な指定はしていないものの、「お年寄り」や「子供」等のユーザプロファイル（個人情報）等に基づき指定可能な「要望」、つまり「暗黙的な観点」に従い、情報入力（Ｏｐｔ−ｉｎの指定）する（される）ことが相当する。
【００１８】
符号２は、パーソナルコンピュータやＰＤＡ（Personal Digital Assistants）等から成る複数のクライアント端末である。クライアント端末２は、Ｗｅｂブラウザ等の処理プログラム（図示せず）を内蔵し、インターネットやイントラネット３等のネットワークを介してコンテンツ提供サーバ１に接続される。クライアント端末２は、インターネットやイントラネット３等のネットワークを介してコンテンツ提供サーバ１によって提供されるコンテンツを閲覧する。
【００１９】
図３は、本実施形態のコンテンツ分類処理装置を機能展開して示したブロック図であり、本実施形態のコンテンツ分類処理装置が実装されるコンテンツ提供サーバのうち、本実施形態と関係する部分のみ抽出して示した図である。
本実施形態のコンテンツ分類処理装置は、観点情報入力取込み部１１０と、コンテンツ分類出力部１２０から構成される。なお、ユーザオントロジ辞書１２、ユーザプロファイルＤＢ１３、メタデータＤＢ１４、コンテンツＤＢ１５のそれぞれが格納されるデータベースは、図２に示すそれと同じであるが、オントロジ辞書につき、ユーザ毎にカスタマイズされているため、ここでは、ユーザオントロジ辞書１２と称している。ユーザオントロジ辞書１２は、コンテンツを分類するユーザによる明示的な観点に従う選択入力、およびユーザのプロファイル情報を含む暗黙的な観点からの情報入力を取り込むことで概念辞書を参照することによって作成される、暗黙的な観点に依存する関係の強さ（リンク強度）をパラメータとして持つ、ユーザ毎にカスタマイズされた辞書である。
【００２０】
観点情報入力取込み部１１０は、コンテンツを分類するユーザによる明示的な観点に従う選択入力、およびユーザのプロファイル情報を含む暗黙的な観点からの情報入力を取り込む機能を持つ。
また、コンテンツ分類出力部１２０は、暗黙的な観点に依存する関係の強さをパラメータとして持つユーザ毎にカスタマイズされたユーザオントロジ辞書１２の中から、観点情報入力取込み部１１０によって取り込まれた観点情報に該当する可能性のあるディレクトリを抽出し、当該ディレクトリを選択出力する機能を持ち、ディレクトリリスト抽出部１２１と、リンク強度演算部１２２と、表示ディレクトリ決定処理部１２３と、表示属性制御部１２４と、クエリー生成部１２５と、表示コンテンツ選択部１２６と、観点情報ボックス（ＢＯＸ）１２７で構成される。
【００２１】
コンテンツ分類出力部１２０を構成するディレクトリリスト抽出部１２１は、観点情報入力取込み部１１０により取り込まれた入力情報に基づき、カスタマイズされたユーザオントロジ辞書１２の中から該当する可能性のあるディレクトリの一覧を抽出してリンク強度演算部１２２へ供給する。また、リンク強度演算部１２２は、ディレクトリリスト抽出部１２１によって抽出されたディレクトリの一覧に、取り込まれた観点情報のうち、リアルタイム性の高い情報を反映させて最終的なリンクの強度を演算し、表示ディレクトリ決定処理部１２３へ引き渡す。
表示ディレクトリ決定処理部１２３は、リンク強度演算部１２２により演算されたリンク強度と、あらかじめ定義されたリンク強度閾値αとの比較により表示すべきディレクトリリスト、ならびにその表示方法を決定する機能を持ち、その出力は、表示属性制御部１２４へ供給される。表示属性制御部１２４は、表示すべきディレクトリリストを、それぞれが持つリンク強度に従う表示属性、例えば、表示順、色、大きさに従い、他と区別して表示モニタへ表示する。
【００２２】
一方、クエリー生成部１２５は、コンテンツ登録もしくはコンテンツ閲覧時、観点情報入力取込み部１１０によって入力されて取り込まれた観点情報毎、クエリーを生成して表示コンテンツ選択部１２６にその実行を委ねる。
表示コンテンツ選択部１２６は、静的な入力に対するクエリーをコンテンツ登録時に実行し、また、動的な入力に対するクエリーを閲覧時に実行し、コンテンツＤＢ１５に対応してそれぞれ設けられる機械的処理が可能なメタデータＤＢ１４へのリンクインスタンスを振り分けるためにそのクエリー実行結果を観点情報ボックス１２７へ格納する。表示コンテンツ選択部１２６によって選択されたコンテンツは、コンテンツＤＢ１５から読み出され、表示属性制御部１２４を経由して表示モニタに表示される。
【００２３】
図４、図５は、本実施形態のコンテンツ分類処理装置の動作を説明するために引用したフローチャートであり、観点リンクの決定処理（図４）、コンテンツリンクの決定処理（図５）における処理プログラム１１の実行手順を示す。また、図６〜図１２は、図４、図５に示すフローチャートの各処理ステップを補足する意味で示した動作概念図である。
以下、図４、図５に示すフローチャート、ならびに図６〜図１２に示す動作概念図を参照しながら図３に示す本実施形態のコンテンツ分類処理装置の動作について詳細に説明する。
【００２４】
図４にフローチャートで示す「観点リンクの決定」処理から説明する。コンテンツ分類処理装置１は、まず、図１にその一例が示される観点選択ページを表示する（Ｓ４０１）。ここでは、コンテンツとして書籍等の文書が例示されており、「作成時間別」、「ジャンル別」、「作成者別」の観点情報項目が用意されている（図６参照）。
ここで、ユーザの意思に基づく観点の選択入力があった場合（Ｓ４０２“有り”）は、観点情報入力取込み部１１０は、この選択入力情報（明示的な観点の情報）を取り込む他に、ユーザプロファイルＤＢ１３からユーザの個人情報を取り込み、ディレクトリリスト抽出部１２１にその制御を引き渡す（Ｓ４０３、ユーザプロファイル他取込み）。なお、観点の選択入力が無い場合（Ｓ４０２“無し”）は、入力を待つ。
【００２５】
ディレクトリリスト抽出部１２１は、ユーザオントロジ辞書１２を参照し、観点情報入力取込み部１１０によって取り込まれた種々の観点情報に該当するディレクトリの一覧を抽出する（Ｓ４０４）。
ここで、ユーザオントロジ辞書１２の構造について図６〜図９を用いて詳述する。ユーザオントロジ辞書１２に格納される情報は、個人情報が反映されたオントロジに従い様々な観点から整理されている。すなわち（図６参照）、観点の選択項目として用意された「時間」、「作者」、「ジャンル」の項目からネットワーク構造に従い関係する情報がリンクされており、例えば、「ジャンル」が選択された場合、「スポーツ」、「医療」、「娯楽」が、また、「スポーツ」には「球技」と「武道」が、「球技」には、「野球」と「サッカー」が、「野球」には「野球をする」と「野球を見る」に情報がリンクされて文書としての意味を利用可能とし、また、「グローブ」と「バット」と「プロ野球」のように意味が近い情報（単語）への誘導も可能になっている。また、「娯楽」から「武道」の「Ｋ１」のように、多重承継が存在する。
【００２６】
なお、情報のリンクは、リンククラスを用いて記述される。図７に示されるように、関係を別のクラスで表現する。すなわち図７（ａ）に示されるように、例えば、「情報ＡのＥ程度の関係Ｃは情報Ｂである」を表現する場合、始点は「情報Ａ」、終点は「情報Ｂ」、関係の強さは「Ｅ」、タイトルは「関係Ｃ」になる。具体的に、「山田と非常に関係の強い友人は鈴木である」を表現する場合、始点は「山田」、終点は「鈴木」、関係の強さは「非常に関係の強い」、タイトルは「友人」となる。
なお、従来は、オントロジを利用してクラス間の関係を整理した場合、図７（ｂ）に示すように、「情報Ａの関係Ｃは情報Ｂである」、具体的に、「山田の友人は鈴木である」のようになり、関係の強さ（リンククラス）は反映されない。
【００２７】
ところで、前記した「関係の強さ（リンク強度）」は、本実施形態のコンテンツ分類処理装置において様々な条件に依存する。すなわち、図８にその一例が示されるように、「情報ＡのＥ程度の関係Ｄは情報Ｂである」を表現する場合、始点は「情報Ａ」、終点は「情報Ｂ」、関係の強さは「Ｅ（個人のプロファイル、状況、履歴に従う）」、タイトルは「関係Ｄ」になる。具体的に、「プロ野球の球団といえば＊＊＊ズである」を表現する場合、始点は「プロ野球」、終点は「＊＊＊ズ」、関係の強さは個人の嗜好に依存し、タイトルは「球団」となる。また、履歴に依存した場合、「食べ物といえば、ラーメンである」、時間に依存した場合、「昼に見たいのはランチ情報である」、場所に依存する場合、「駅といえば三鷹駅である」等々である。
【００２８】
なお、ここで、「関係の強さ」は数値で表現することとし、初期値は“１”とし、基本となるオントロジをベースに個人毎のオントロジ（ユーザオントロジ辞書１２）を作成するものとする。
すなわち、球団関係を用いて個人の嗜好をオントロジに反映させようとした場合、好みの球団が指定されていれば、「関係の強さ＝関係の強さ×２」とし、履歴を反映させようとした場合、選択されれば、「関係の強さ＝関係の強さ＋０．１」とし、また、時間や場所等、リアルタイム性の高い情報は動作時に利用することとし、現在地が「三鷹駅周辺」であれば、「関係の強さ＝関係の強さ×２」といった関数が用意される。なお、リアルタイム性の低い情報に関しては、個人毎のオンロジ辞書１２に反映させることとする。
【００２９】
説明を図４のフローチャートに戻す。前記したように、ユーザオントロジ辞書１２から該当するディレクトリ一覧を抽出した後、制御がリンク強度演算部１２２に移り、前記した関数に従う演算が行われる。ここでは、時間、場所等リアルタイム性の高い条件を反映させてリンク強度が演算され（Ｓ４０５）、その値が表示ディレクトリ決定処理部１２３へ引き渡される。なお、本実施形態では、リアルタイム性の高い条件が暗黙的な観点に相当する。また、ユーザオントロジ辞書１２には、既に暗黙的な観点が埋め込んである。
表示ディレクトリ決定処理部１２３では、リンク強度演算部１２２により演算されたリンク強度と、あらかじめ定義されたリンク強度閾値αとの比較を行い（Ｓ４０６、閾値αとの比較）、表示すべきディレクトリリスト、ならびにその表示方法が決定される。図９にその一例が示されている。ここでは、リンク強度閾値α“１”との比較が行われ、情報Ａと関係の強さが“１”以上のリンク強度を持つ（関係３〜５）が表示され（Ｓ４０７、リンク強度に従う属性表示）、“１”未満の関係の強さを持つ（関係１）と（関係２）は表示されない（Ｓ４０８、非表示）。
なお、Ｓ４０７における（関係３）〜（関係５）のディレクトリ表示にあたり、表示属性制御部１２４は、関係の強さを示す数値順に、あるいはその数値の大小に応じて色、大きさを変えて表示し、ユーザに視覚的にその関係の強さを認識させ、コンテンツ選択の際の操作に役立てるようにしている。
【００３０】
ちなみに、図６において、時間、作者、ジャンル等を指定しているリンクが明示的な観点の入力に相当する。その他、リンクを辿って目的とするコンテンツに到達する行為（リンクをクリックする行為）は明示的な観点の指定であり、リンクが表示される順序、リンクの有無、文字の色、大きさ等、明示的な観点の指定に先立ち、暗黙的な観点の適用により、既に、リンクが最適化されていることとなる。従って、図６には暗黙的な観点の指定（入力）は存在しない。
【００３１】
次に、図５に示すフローチャートを参照しながら「コンテンツリンクの決定」処理について説明する。
クエリー生成部１２５は、コンテンツ登録時、もしくはコンテンツ閲覧時、観点情報入力取込み部１１０を介して入力されて取り込まれた観点情報毎にクエリーを生成する。図１０に、オントロジによるノードのつながりが例示されている。ここでは、前記したようにリンクの強弱で表示コンテンツが選択されるようになっている。例えば、観点Ａを「本年度の情報」として表示コンテンツを選択しようとした場合、メタデータの項目に含まれる「作成日時」が本年度であるコンテンツを発見するためのクエリー、例えば、ＲＤＱＬ（RDF[Resource Description Framework] Data Query Language）で記述された検索式、が生成される。
一方、コンテンツ登録時、特定のメタデータ（ここでは「作成日時」）に対応する情報を持つリンククラスが設定され、リンクインスタンスに展開されて観点情報ＢＯＸ１２７に振り分けられる。なお、リンククラスには、未だ時間、場所等、動的な入力に対するリンクの強弱についての決定処理が含まれていないことがある。このため、閲覧時、必要に応じてリンク強度演算部１２２で前記したリンクの強度演算が行われ、表示コンテンツ選択部１２６で関係の強いリンクを辿り、最終的な表示コンテンツに到達する。
【００３２】
表示コンテンツ選択部１２６では、静的な入力に対するクエリーがコンテンツ登録時に実行され（Ｓ５０１、Ｓ５０２）、ここで演算され、分類された内容は、観点情報ボックス１２７にメタデータへのリンクインスタンスとして振り分けられる（Ｓ５０３）。また、動的な入力に対するクエリーは閲覧時に実行され（Ｓ５０１、Ｓ５０４）、観点情報ボックス１２７にメタデータへのリンクインスタンスとして振り分けられる（Ｓ５０５）。
なお、前記したように、リンクインスタンスには、未だ、時間、場所等に関するリンク強度決定のための処理が含まれている場合がある。このため、前記したように、リンク強度演算部１２２では必要に応じて観点情報ボックス１２７内のリンクインスタンスに対し、日時、場所等を用いたリンク強度の演算を行う（Ｓ５０６）。そして、ディレクトリ表示と同様、リンク強度閾値αとの比較が行われ（Ｓ５０７）、リンク強度に従う属性表示が行われる（Ｓ５０８）。表示属性制御部１２４は、リンク強度を示す数値順に、また、その数値の大小に応じて色、あるいは大きさを変えて表示する。勿論、閾値に満たないコンテンツについては表示されない（Ｓ５０９）。
【００３３】
続いて観点変更の有無がチェックされ（Ｓ５１０）、ここでユーザによる観点変更の要求入力があれば、Ｓ５０１以降の処理が繰り返し実行される。
観点変更があった場合の具体的な動作を、図１１に例示されたオントロジによるノードのつながりを用いて説明する。まず、前記の動作に従い観点Ｄを辿り、例えば、「とんこつラーメン専門店」のコンテンツに到達したとする（丸囲み数字１）。ここでは、専門店に関するメタデータが検索され、「とんこつラーメン専門店」に到達してもその地理的条件については考慮されていない（関連していてもリンク強度は小）。
そこで、ユーザが別の観点から明示的観点を「地理」に変更入力することで新規クエリーが生成され実行される。このとき、ディレクトリ決定処理部１２３では、リンク強度演算部１２２で再度演算されたリンク強度が反映された観点ツリーを提示する（丸囲み数字２）。ここでそのリンク強度から、例えば「三鷹駅周辺」という観点とリンクしていることが判明すれば、観点Ｆを辿って「三鷹駅周辺」を観点にリンクしている他のコンテンツに到達し、そのコンテンツを表示することができる（丸囲み数字３）。
ちなみに、静的な入力や動的な入力が、暗黙的な観点の入力に相当する。また、「リンクインスタンスに…」も暗黙的な観点の入力に相当する。また、観点変更の有無で、変更ありとした以降に指定する観点入力が明示的な観点の入力に相当する。
【００３４】
図１２に、本実施形態による階層表示の一例が示されている。図１２に示されるように、まず、観点選択ページが表示され、ここで、ユーザによりジャンルが選択入力され、また、ユーザプロファイルＤＢ１３から年齢、性別に関する個人情報が、更に、日時や場所等に関する観点入力があり、ここで入力された情報は観点情報入力取込み部１１０によりコンテンツ分類出力部１２０に取り込まれる。ここで取り込まれた内容はユーザオントロジ辞書１２を参照するときに反映され、観点情報入力に基づく観点階層情報、すなわち、ディレクトリが階層展開されて表示される。
ここでは、まず、「スポーツ」、「医療、」「行政手続き」、「教育」に関するディレクトリページが表示され、更にユーザがこの中から「スポーツ」を選択することで、更に、「野球」、「サッカー」、「水泳」、「バレーボール」に展開され、「野球」を選択することで、「野球をする」、「野球を見る」に展開され、表示される。ここで、表示されるそれぞれのディレクトリは、リンク強度に従う表示属性（順番、色、大きさ）で表示される。最終的に「野球をする」が選択されたとき、コンテンツの一覧（「スポーツ用品店のお知らせ」、「野球場の予約ページ」、「野球サークルのページ」）が表示され、ユーザが所望のページを選択することで必要な情報を入手することができる。
【００３５】
以上説明のように本発明は、ユーザプロファイル等、暗黙的な観点に依存する関係の強さをパラメータとして持つ、ユーザ毎にカスタマイズされたユーザオントロジ辞書の中から、例えば、その時々におけるのユーザの意思、ニーズ、時間、地理的条件等の観点情報に該当する可能性のあるディレクトリを抽出し、当該ディレクトリを選択出力することで、選択されて表示されるディレクトリが明示的、暗黙的な観点に従って決定され、また、その分類が個人毎、状況毎に適応されるため、ユーザの意思が明確に反映され、ニーズに合致したコンテンツの検索が可能となる。
つまり、本発明は、個人情報、ステータス、ログ等により、情報の分類方法をPersonalizeすることにより、容易に目的の情報に到達することができる。
【００３６】
また、本発明によれば、静的な入力に対するクエリーをコンテンツ登録時に実行し、また、動的な入力に対するクエリーを閲覧時に実行してメタデータへのリンクインスタンスを振り分けることで、ユーザが個人情報を利用したサービスを希望したときにシームレスに個人情報を追加し、あるいは動的に管理ポリシーの変更を行うことができ、このことにより、ユーザの意を明確に反映され、かつ、ニーズに合致したコンテンツの検索が可能となる。また、リンクの強弱に従い、表示順、大きさ、色等による表示属性を変更して表示することで、視覚的にも関係の強さを認識でき、コンテンツ選択の際における操作性の向上がはかれる。
更に、観点情報を再入力することで新たな観点から所望のコンテンツを取得することができ、柔軟性の高い検索が可能になり、そのための操作性が向上する。
【００３７】
なお、図３に示す、観点情報入力取込み部１１０と、コンテンツ分類出力部１２０、およびコンテンツ分類出力部１２０を構成するディレクトリリスト抽出部１２１、リンク強度演算部１２２、表示ディレクトリ決定処理部１２３、表示属性制御部１２４、クエリー生成部１２５、表示コンテンツ選択部１２６のそれぞれで実行される手順をコンピュータ読み取り可能な記録媒体に記録し、この記録媒体に記録されたプログラムをコンピュータシステムに読み込ませ、実行することによっても本発明の文書分類処理装置を実現することができる。ここでいうコンピュータシステムとは、ＯＳ（Operating System）や周辺機器等のハードウェアを含むものである。
【図面の簡単な説明】
【００３８】
【図１】本実施形態のコンテンツ分類処理装置におけるディレクトリのリスティング方法を説明するために引用した図である。
【図２】本実施形態のコンテンツ分類処理装置が実現される通信ネットワークのシステム構成の一例を示す図である。
【図３】本実施形態のコンテンツ分類処理装置を機能展開して示したブロック図である。
【図４】本実施形態のコンテンツ分類処理装置の動作を説明するために引用したフローチャートである。
【図５】本実施形態のコンテンツ分類処理装置の動作を説明するために引用したフローチャートである。
【図６】図４に示すフローチャートを補足する意味で示した動作概念図である。
【図７】図４に示すフローチャートを補足する意味で示した動作概念図である。
【図８】図４に示すフローチャートを補足する意味で示した動作概念図である。
【図９】図４に示すフローチャートを補足する意味で示した動作概念図である。
【図１０】図５に示すフローチャートを補足する意味で示した動作概念図である。
【図１１】図５に示すフローチャートを補足する意味で示した動作概念図である。
【図１２】図４、図５に示すフローチャートを補足する意味で示した動作概念図である。
【図１３】従来におけるＷｅｂページの階層展開における表示の一例を示す図である。
【符号の説明】
【００３９】
１    コンテンツ提供サーバ（コンテンツ分類処理装置）
２    クライアント端末
３    インターネット／イントラネット
１１  処理プログラム
１２  ユーザオントロジ辞書
１３  ユーザプロファイルＤＢ
１４  メタデータＤＢ
１５    コンテンツＤＢ
１１０  観点情報入力取込み部
１２０  コンテンツ分類出力部
１２１  ディレクトリリスト抽出部
１２２  リンク強度演算部
１２３  表示ディレクトリ決定処理部
１２４  表示属性制御部
１２５  クエリー生成部
１２６  表示コンテンツ選択部
１２７  観点情報ボックス
【図１】
2005149340.tif 000003
【図２】
2005149340.tif 000004
【図３】
2005149340.tif 000005
【図４】
2005149340.tif 000006
【図５】
2005149340.tif 000007
【図６】
2005149340.tif 000008
【図７】
2005149340.tif 000009
【図８】
2005149340.tif 000010
【図９】
2005149340.tif 000011
【図１０】
2005149340.tif 000012
【図１１】
2005149340.tif 000013
【図１２】
2005149340.tif 000014
【図１３】
2005149340.tif 000015